(57)【要約】【課題】情報処理装置のデータ処理状況に応じて、外部表示装置と表示装置との画面表示内容を一致させたり、異ならしめたりする表示制御を自在に行うことである。【解決手段】ＶＤＡ２１３を介して携帯型液晶プロジェクタ３００が接続されたことを検出した場合、ＶＤＡ２１３を介してディスプレイ２１２に表示される画面情報を携帯型液晶プロジェクタ３００のスクリーンにも出力可能な状態に切り替え、該切替後、マイクロプロセッサ２０９がディスプレイ２１２に表示される画面情報と携帯型液晶プロジェクタ３００のスクリーンに表示すべき画面情報との表示内容を変更制御する構成を特徴とする。【選択図】図２
2005345543.tif 000002
【特許請求の範囲】
【請求項１】
表示装置を備える情報処理装置であって、
外部表示装置を接続するインタフェース手段と、
前記インタフェース手段に接続される前記外部表示装置を検出する検出手段と、
前記検出手段により前記外部表示装置が接続されていることを検出した場合、前記インタフェース手段を介して前記表示装置に表示される画面情報を前記外部表示装置にも出力可能な状態に切り替える切替手段と、
前記切替手段による切替後、非表示の指示に従って、前記表示装置に表示される画面情報と前記外部表示装置に表示すべき画面情報との表示内容を変更する制御手段と、
を備えることを特徴とする情報処理装置。
【請求項２】
前記外部表示装置に表示すべき画面情報の切り替えを指示する切替指示手段を備え、
前記制御手段は、前記切り替え指示手段による切替指示中の間、前記表示装置に表示される画面情報と前記外部表示装置に表示すべき画面情報との表示内容を変更することを特徴とする請求項１記載の情報処理装置。
【請求項３】
前記切替指示手段は、前記表示装置に表示される所定の情報入力催促画面の表示時に、前記外部表示装置に表示すべき画面情報の切り替えを指示することを特徴とする請求項２記載の情報処理装置。
【請求項４】
前記所定の情報入力催促画面は、データ処理可能な状態に遷移させるための認証情報入力催促画面、ユーザ名入力画面、電子ファイル、電子ファイル名、アプリケーションウィンドウを含む各種入力画面、ＷＥＢブラウザＵＲＬ入力画面を含むことを特徴とする請求項３記載の情報処理装置。
【請求項５】
前記制御手段は、前記表示装置に表示される所定の情報入力催促画面の表示時に、前記外部表示装置へ転送すべき画面情報の全体または一部を変更可能とすることを特徴とする請求項１記載の情報処理装置。
【請求項６】
前記切替指示手段による切替指示情報を所定の情報入力催促画面と関連付けて記憶する記憶手段を備え、
前記制御手段は、前記切替手段による切替後、前記記憶手段に記憶される切替指示情報に基づいて、前記表示装置に表示される画面情報と前記外部表示装置に表示すべき画面情報との表示内容を変更することを特徴とする請求項１記載の情報処理装置。
【請求項７】
表示装置を備える情報処理装置であって、
外部表示装置を接続するインタフェース手段と、
前記インタフェース手段を介して、前記表示装置に表示される画面情報に対応する画面情報を前記外部表示装置に出力する制御手段とを備え、
前記制御手段は、非表示の指示に従って、前記表示装置に表示される画面情報の少なくとも一部に対応する画面情報を前記外部表示装置に出力しないように制御することを特徴とする情報処理装置。
【請求項８】
外部表示装置を接続するインタフェース手段と、表示装置とを備える情報処理装置における表示制御方法であって、
前記インタフェース手段に接続される前記外部表示装置を検出する検出ステップと、
前記検出ステップにより前記外部表示装置が接続されていることを検出した場合、前記インタフェース手段を介して前記表示装置に表示される画面情報を前記外部表示装置にも出力可能な状態に切り替える切替ステップと、
前記切替ステップによる切替後、表示の指示に従って、前記表示装置に表示される画面情報と前記外部表示装置に表示すべき画面情報との表示内容を変更する制御ステップと、
を備えることを特徴とする表示制御方法。
【請求項９】
前記外部表示装置に表示すべき画面情報の切り替えを指示する切替指示ステップを備え、
前記制御ステップは、前記切替指示ステップによる切替指示中の間、前記表示装置に表示される画面情報と前記外部表示装置に表示すべき画面情報との表示内容を変更することを特徴とする請求項８記載の表示制御方法。
【請求項１０】
前記切替指示ステップは、前記表示装置に表示される所定の情報入力催促画面の表示時に、前記外部表示装置に表示すべき画面情報の切り替えを指示することを特徴とする請求項９記載の表示制御方法。
【請求項１１】
前記所定の情報入力催促画面は、データ処理可能な状態に遷移させるための認証情報入力催促画面、ユーザ名入力画面、電子ファイル、電子ファイル名、アプリケーションウィンドウを含む各種入力画面、ＷＥＢブラウザＵＲＬ入力画面を含むことを特徴とする請求項１０記載の表示制御方法。
【請求項１２】
前記制御ステップは、前記表示装置に表示される所定の情報入力催促画面の表示時に、前記外部表示装置へ転送すべき画面情報の全体または一部を変更可能とすることを特徴とする請求項８記載の表示制御方法。
【請求項１３】
前記制御ステップは、前記切替ステップによる切替後、記憶される切替指示情報に基づいて、前記表示装置に表示される画面情報と前記外部表示装置に表示すべき画面情報との表示内容を変更することを特徴とする請求項９記載の表示制御方法。
【請求項１４】
請求項８〜１３のいずれかに記載の表示制御方法を実行させるためのプログラムを格納したことを特徴とするコンピュータが読み取り可能な記憶媒体。
【請求項１５】
請求項８〜１３のいずれかに記載の表示制御方法を実行させることを特徴とするプログラム。
【発明の詳細な説明】
【技術分野】
【０００１】
本発明は、外部表示装置を接続可能な情報処理装置および表示制御方法およびコンピュータが読み取り可能なプログラムを格納した記憶媒体およびプログラムに関するものである。
【背景技術】
【０００２】
現在では、コンピュータ内の記憶装置に記憶されているドキュメントファイルや画像データなどのセキュリティ確保のために、コンピュータの起動時や、ドキュメントファイルをアプリケーションファイルで開く際などにユーザ名およびパスワード入力を促し、正しく入力された場合のみ起動を行う構成とすることで、セキュリティ面での安全を確保している。
【０００３】
また、従来の会議やプレゼンテーションにおいては、コンピュータ上で作成されたドキュメントをオーバーヘッドプロジェクタ（ＯＨＰ）で使用することが可能な透明のＯＨＰシートにプリントし、それをＯＨＰで画像を投影して使用していたが、現在では液晶プロジェクタや大型ディスプレイなどの外部装置に携帯型コンピュータを接続して、携帯型コンピュータ上で作成したドキュメントファイルや画像データを直接、液晶プロジェクタで投影して使用するケースが多い。これによって大人数に対してドキュメントファイルや画像データの紹介を行うことが可能になっている。
【０００４】
なお、携帯可能な液晶プロジェクタとして、下記特許文献１が既に公開されており、小型液晶プロジェクタ２２をパソコン２１の表示画面上に接続して、手軽に簡単に投影処理が可能に構成されており、そのフレキシビリティは従来のプロジェクタシステムに比べて格段に向上している。
【０００５】
そして、小型化における投影画像の振動による影響をも除去されて、鮮明画像を投影可能に構成されている。
【特許文献１】特開２００１−２２１６４１号公報
【発明の開示】
【発明が解決しようとする課題】
【０００６】
しかしながら、液晶プロジェクタや大型ディスプレイなどの外部表示装置と接続している携帯型コンピュータにおいては、携帯型コンピュータ上で表示される画面と同じものが外部表示装置でも表示されてしまうので、携帯型コンピュータを起動する際には起動時のユーザ名およびパスワード入力画面が外部表示装置でも表示されてしまい、また携帯型コンピュータ上でパスワード設定されたドキュメントファイルや画像データをアプリケーションソフトで起動する際にはアプリケーションソフト起動時のユーザ名およびパスワード入力画面も外部表示装置で表示されてしまう。
【０００７】
そのためユーザ名およびパスワード入力を行っている最中の画面を大人数に見られてしまっている。
【０００８】
その際、通常パスワードは「＊＊＊＊」等の文字に置き換えられて表示されるのでパスワードそのものを知られるケースは低いが、ユーザ名は表示されるケースがほとんどなので、例えば会議上で投影された画面を見ている出席者は、パスワードと対になっているユーザ名に関しては簡単に第三者（不特定多数）に漏洩してしまう事態を避けることはできない。
【０００９】
また、オペレーションミスにより、例えばパスワードをユーザ名入力欄に入力してしまようなことをうっかり実行してしまうことにより、パスワードも可視化してしまい、パスワードを該画面を通して視認できた第三者は、当該ユーザのパスワード等を簡単に取得できてしまう。
【００１０】
さらには、携帯型コンピュータの画面上に配置されたフォルダ名や、起動されたｅ−Ｍａｉｌ、カレンダなどのアプリケーションが存在する場合には、フォルダ名や、ｅ−Ｍａｉｌの宛先および内容、カレンダの予定なども大人数に公開してしまうことになる。
【００１１】
このようにコンピュータ画面上に表示される情報を外部投影装置を介して表示するような利用形態において、秘匿管理すべき情報が何ら制限されることなく表示されてしまうため、その改善が切望されている。
【００１２】
本発明は、上記の課題を解決するためになされたもので、本発明の第１の目的は、外部表示装置が接続されたことを検出した場合、インタフェース手段を介して表示装置に表示される画面情報を外部表示装置にも出力可能な状態に切り替え、該切替後、前記表示装置の表示される画面情報と前記外部表示装置に表示すべき画面情報との表示内容を変更することにより、ユーザの指示に従って、外部表示装置と表示装置との画面表示内容を一致させたり、異ならしめたりする表示制御を自在に行うことができる情報処理装置および表示制御方法およびコンピュータが読み取り可能なプログラムを格納した記憶媒体およびプログラムを提供することである。
【００１３】
本発明の第２の目的は、非表示の指示に従って、表示装置に表示される画面情報の少なくとも一部に対応する画面情報を外部表示装置に出力しないように制御することにより、ユーザの指示に従って、外部表示装置と表示装置との画面表示内容を一致させたり、異ならしめたりする表示制御を自在に行うことができる情報処理装置および表示制御方法およびコンピュータが読み取り可能なプログラムを格納した記憶媒体およびプログラムを提供することである。
【課題を解決するための手段】
【００１４】
本発明に係る情報処理装置は以下の特徴的構成を備える。
【００１５】
本発明は、表示装置を備える情報処理装置であって、外部表示装置を接続するインタフェース手段と、前記インタフェース手段に接続される前記外部表示装置を検出する検出手段と、前記検出手段により前記外部表示装置が接続されていることを検出した場合、前記インタフェース手段を介して前記表示装置に表示される画面情報を前記外部表示装置にも出力可能な状態に切り替える切替手段と、前記切替手段による切替後、非表示の指示に従って前記表示装置に表示される画面情報と前記外部表示装置に表示すべき画面情報との表示内容を変更する制御手段とを備えることを特徴とする。
【００１６】
または、表示装置を備える情報処理装置であって、外部表示装置を接続するインタフェース手段と、前記インタフェース手段を介して、前記表示装置に表示される画面情報に対応する画面情報を前記外部表示装置に出力する制御手段とを備え、前記制御手段は、非表示の指示に従って、前記表示装置に表示される画面情報の少なくとも一部に対応する画面情報を前記外部表示装置に出力しないように制御することを特徴とする。
【００１７】
本発明に係る表示制御方法は以下の特徴的構成を備える。
【００１８】
本発明は、外部表示装置を接続するインタフェース手段と、表示装置とを備える情報処理装置における表示制御方法であって、
前記インタフェース手段に接続される前記外部表示装置を検出する検出ステップと、
前記検出ステップにより前記外部表示装置が接続されていることを検出した場合、前記インタフェース手段を介して前記表示装置に表示される画面情報を前記外部表示装置にも出力可能な状態に切り替える切替ステップと、
前記切替ステップによる切替後、非表示の指示に従って前記表示装置に表示される画面情報と前記外部表示装置に表示すべき画面情報との表示内容を変更する制御ステップと、
を備えることを特徴とする。
【発明の効果】
【００１９】
本発明によれば、情報処理装置のデータ処理状況に応じて、外部表示装置が接続されたことを検出して、表示装置に表示された画面と同一画面を表示したり、該表示画面とは異なる画面を表示したりすることができ、外部表示装置では表示したくない情報を入力する必要がある場合に、外部表示装置では表示装置側の表示内容がそのまま反映されることがないので、表示装置側で必要な所定の情報を秘匿性を維持した状態で入力することができる。
【００２０】
また、本発明は、非表示の指示に従って、表示装置に表示される画面情報の少なくとも一部に対応する画面情報を外部表示装置に出力しないように制御することにより、外部表示装置では表示したくない情報を入力する必要がある場合に、外部表示装置では表示装置側の表示内容がそのまま反映されることがないので、表示装置側で必要な所定の情報を秘匿性を維持した状態で入力することができる。
【発明を実施するための最良の形態】
【００２１】
次に本発明を実施するための最良の形態について図面を参照して説明する。
【００２２】
〔第１実施形態〕
図１は、本発明の第１実施形態を示す表示制御システムの構成を説明する図であり、例えば表示元となる携帯型コンピュータ２００と携帯型液晶プロジェクタ３００とが所定のインタフェースを介して接続されるシステム例に対応する。
【００２３】
図１において、１００は多画面表示制御システムである。携帯型コンピュータ２００は、所定のオペレーティングシステムの下で、ハードディスク等に記憶されている複数のアプリケーションをユーザが選択して起動させることで、所望のアプリケーションに基づくデータ処理を表示装置を介して行うことができる。なお、携帯型コンピュータ２００には、外部表示装置へのインタフェースを備え、該インタフェースを介して携帯型液晶プロジェクタ３００に表示装置に表示される画面と同一の画面を映像としてスクリーンに投影可能に構成されている。
【００２４】
携帯型液晶プロジェクタ３００は、スクリーンを備え、携帯型コンピュータ２００とはビデオ表示アダプタ・カードとケーブルを含むインタフェースを介して接続され、携帯型コンピュータ２００からのビデオ信号をＬＣＤの透過画像として携帯型液晶プロジェクタ３００からスクリーンに投影する。
【００２５】
図２は、図１に示した携帯型コンピュータ２００の構成を説明するブロック図である。
【００２６】
図２において、２０５はバッテリで、充電するために用いられる電力コンバータ２０２を備えている。なお、バッテリインタフェース２０４がバッテリ２０５と他の回路の残りとの間に介挿されることは本システムにおいて任意の構成である。
【００２７】
２０２は電力コンバータで、ＡＣ主電源から電力を得るように全波ブリッジ整流器２０１を介して接続され、ＤＣ電圧をバッテリ２０５に提供するように接続されている。
【００２８】
２０３は電圧調整器で、接続されたバッテリ２０５（コンバータ２０２）は、当該実施形態においては、ユーザ入力装置（例えば、キーボード２０６およびマウス２０７）と、前記入力装置から入力を受取るようにインタフェース管理チップ（Ｉ／Ｆマネージャ）２０８（これもまた、インタフェースを種々のポートへ提供する）を介して接続される少なくとも１つのマイクロプロセッサ２０９と、マイクロプロセッサ２０９によりアクセス可能なメモリ（例えば、フラッシュメモリ２１０およびＲＡＭ２１１）と、マイクロプロセッサ２０９により生成されるデータを出力するよう接続されるデータ出力装置（例えば、ディスプレイ２１２およびビデオ表示アダプタカード２１３）と、ビデオ表示アダプタカード２１３を介して外部表示装置としての携帯型液晶プロジェクタ（プロジェクタ）３００などが接続されているか否かを検知する外部表示装置検出器２２０と、ディスプレイ２１２とビデオ表示アダプタカード２１３を介して接続される携帯型液晶プロジェクタ３００へのビデオ信号の切替えを行う表示切替器２２１と、インタフェース装置（ディスクＩ／Ｆ）２１４を介してマイクロプロセッサ２０９により読出し／書込みアクセス可能であるハードディスクドライブ２１５とを含む携帯型コンピュータ２００に給電することができる。
【００２９】
その他にも多くの構成要素を任意に含むことができ、またこれらの装置構成によって限定されるものではない。
【００３０】
例えば、携帯型コンピュータ２００は、ディスクインタフェースコントローラ２１４に対してインタフェースするＣＤ−ＲＯＭドライブ２１６およびフレキシブルディスクドライブ（ＦＤＤ）２１７、ハードディスクドライブ２１５を含むこともできる。
【００３１】
更に、各種ディスクドライブからマイクロプロセッサ２０９へのデータアクセスを高速化するためＬ２キャッシュ２１８を追加することもでき、ＰＣＭＣＩＡ２１９のスロットが周辺装置の強化を可能にする。さらにはインターネット網に接続することが可能になるネットワークインタフェース２２２や無線ＬＡＮ２２３、赤外線通信２２４、公衆回線網に接続可能なモデム２２５などを持つ。
【００３２】
なお、携帯型コンピュータ２００は、マイクロプロセッサ２０９がＲＡＭ２１１に対してハードディスクドライブ２１５からロードされるアプリケーションをオペレーティングシステムの管理の下で実行して、種々のデータ処理をディスプレイ２１２上で実行可能に構成されている。
【００３３】
図３は、本発明に係る表示制御システムにおける携帯型コンピュータ２００のディスプレイ２１２と携帯型液晶プロジェクタ３００での投影状態を説明する図である。
【００３４】
携帯型液晶プロジェクタ３００は、携帯型コンピュータ２００に備わるビデオ表示アダプタカード２１３とケーブルを介して接続され、携帯型コンピュータ２００上での作業内容をスクリーンＳＣに投影することができる。
【００３５】
図３に示すように携帯型コンピュータ２００のディスプレイ２１２に表示する内容と同じように携帯型液晶プロジェクタ３００で投影（スクリーンＳＣには拡大映像として投影される）することが可能である。
【００３６】
なお、携帯型コンピュータ２００のディスプレイ２１２にはアプリケーションあるいはオペレーティングシステムから要求パスワード入力エリア（ＰＳＥ）１が表示され、これに対応して、携帯型液晶プロジェクタ３００の投影（スクリーンＳＣの投影面にはアプリケーションあるいはオペレーティングシステムから要求パスワード入力エリア（ＰＳＥ）２が表示されている状態を示している。
【００３７】
図４は、本発明に係る情報処理装置における第１のデータ処理手順の一例を示すフローチャートであり、図１に示した携帯型コンピュータ２００を起動する際に行われる一連の制御手順に対応する。なお、Ｓ４０１〜Ｓ４１０は各ステップを示す。また、各ステップは、マイクロプロセッサ２０９がＲＡＭ２１１上に制御プログラムをロードして実行することで実現される。
【００３８】
携帯型コンピュータ２００をキーボード２０６およびマウス２０７で起動指示を行うと（Ｓ４０１）、マイクロプロセッサ２０９は起動プログラムをハードディスクドライブ２１５から読み込みＲＡＭ２１１に展開して起動動作を行う（Ｓ４０２）。
【００３９】
次に、起動動作中に外部表示装置検出器２２０がビデオ表示アダプタカード２１３やＰＣＭＣＩＡ２１９のスロットを経由した外部表示装置のクロック同期信号などで接続されているコードを検出すると（Ｓ４０３）、マイクロプロセッサ２０９はディスプレイ２１２と同様のビデオ信号を外部表示装置に転送する（Ｓ４０４）。
【００４０】
そして、マイクロプロセッサ２０９は携帯型コンピュータ２００の起動に伴い、起動を許可するためのユーザ名およびパスワードの入力をディスプレイ２１２のパスワード入力エリアＰＳＥ１を表示して促す（Ｓ４０５）。
【００４１】
ここで後述する外部表示装置へのユーザ名およびパスワード入力の非表示を選択している場合には（Ｓ４０６）、表示切替器２２１は、ディスプレイ２１２と同じ画面のビデオ信号を外部表示装置への出力は制限され、マイクロプロセッサ２０９で生成される、異なる画面情報（代替画面）を外部表示装置で表示するようビデオ信号を切替え、ユーザ名およびパスワード入力画面を外部表示装置では表示しないように制御を行う（Ｓ４０７）。
【００４２】
ここで、外部表示装置で表示しておく代替画面は携帯型コンピュータ２００で使用するスクリーンセーバでも構わないし、何かしらの静止画像データや動画像データ、さらにはビデオ信号をシャットアウトして無表示状態にしも構わない。
【００４３】
そして、ユーザ名およびパスワードの入力をディスプレイ２１２上で行い（Ｓ４０８）、セキュリティ解除されると（Ｓ４０９）、マイクロプロセッサ２０９は起動プログラムの実行を続けて、携帯型コンピュータ２００を立ち上げて使用できる状態にセットアップする。
【００４４】
それに伴い、表示切替器２２１はマイクロプロセッサ２０９からセキュリティ解除を受けるとディスプレイ２１２と同じ画面を外部表示装置で表示するようビデオ信号を切り替える（Ｓ４１０）。以後は、ディスプレイ２１２と同じ画面を外部表示装置で表示される。
【００４５】
図５は、本発明に係る情報処理装置における第２のデータ処理手順の一例を示すフローチャートであり、図１に示した携帯型コンピュータ２００上でパスワード設定されたファイルをアプリケーションソフトで起動する際に行われる一連の制御手順に対応する。なお、Ｓ５０１〜Ｓ５０８は各ステップを示す。また、各ステップは、マイクロプロセッサ２０９がＲＡＭ２１１上に制御プログラムをロードして実行することで実現される。
【００４６】
先ず、携帯型コンピュータ２００上でキーボード２０６およびマウス２０７からパスワード設定されたファイルをアプリケーションソフトで起動するよう指示を行うと（Ｓ５０１）、マイクロプロセッサ２０９は該当するファイルおよびアプリケーションソフトをハードディスクディスクドライブ２１５から読み込みＲＡＭ２１１に展開して起動動作を行う（Ｓ５０２）。
【００４７】
そして、マイクロプロセッサ２０９はファイルおよびアプリケーションソフトの起動に伴い、起動を許可するためのユーザ名およびパスワードの入力をディスプレイ２１２のパスワード入力エリアＰＳＥを表示して促す（Ｓ５０３）。ここで、外部表示装置検出器２２０がビデオ表示アダプタカード２１３やＰＣＭＣＩＡ２１９のスロットを経由した外部表示装置のクロック同期信号などで接続されているコードを検出すると、後述する外部表示装置へのユーザ名およびパスワード入力の非表示を選択している場合には（Ｓ５０４）、表示切替器２２１は、ディスプレイ２１２と同じ画面のビデオ信号を外部表示装置には出力せずに、マイクロプロセッサ２０９で生成される、異なる画面（代替画面）を外部表示装置で表示するようビデオ信号を切替え、ユーザ名およびパスワード入力画面を外部表示装置では表示しないように制御を行う（Ｓ５０５）。
【００４８】
そして、ユーザ名およびパスワードの入力をディスプレイ２１２上で行い（Ｓ５０６）、セキュリティ解除されると（Ｓ５０７）、マイクロプロセッサ２０９はファイルおよびアプリケーションソフトの実行を続けて、使用できる状態にセットアップする。それに伴い、表示切替器２２１はマイクロプロセッサ２０９からセキュリティ解除を受けるとディスプレイ２１２と同じ画面を外部表示装置で表示するようビデオ信号を切り替える（Ｓ５０８）。以後は、ディスプレイ２１２と同じ画面を外部表示装置で表示される。
【００４９】
図６は、図２に示したディスプレイ２１２に表示される表示内容制限設定画面の一例を示す図であり、図４に示すステップＳ４０６または図５に示すステップＳ５０４でディスプレイ２１２に表示される画面例であり、本実施形態では、外部表示装置へのユーザ名およびパスワード入力の非表示選択の設定を行う例である。
【００５０】
図６において、６０１は切替画面で、携帯型コンピュータ２００のディスプレイ２１２上で表示される外部表示装置でセキュリティ画面の表示／非表示を切り替えるため画面として機能する。Ｂ１、Ｂ２はボタンである。ボタンＢ１が指示されると、ディスプレイ２１２の画面表示と、外部表示装置との画面表示とが一致するようにマイクロプロセッサ２０９により表示制御され、ボタンＢ２が指示されると、ディスプレイ２１２の画面表示と、外部表示装置との画面表示とが一致しないようにマイクロプロセッサ２０９により表示制御される。なお、一致しないとは、画面全体を他の画面表示に切り替えること、および、ディスプレイ２１２の表示画面の一部の領域を加工して、マスク表示したり、モザイクをかけて表示することも含むものである。
【００５１】
予め切替画面６０１において、マウス２０７等を操作して非表示を選択しておくと、図４、図５で説明したように、外部表示装置を接続していた場合には外部表示装置検出器２２０によって検出され、表示切替器２２１によって外部表示装置にはユーザ名およびパスワード入力画面を自動的に非表示するよう制御される。なお、ユーザが敢えて表示を選択した場合には、外部表示装置から投影されるスクリーン上にもユーザ名およびパスワード入力画面が投影されることになる。
【００５２】
以上のように、本実施形態によれば、液晶プロジェクタや大型ディスプレイなどの外部表示装置と接続している携帯型コンピュータにおいて、携帯型コンピュータ上で表示される画面と同じものが外部表示装置でも表示されてしまう場合でも、携帯型コンピュータを起動する際の起動時のユーザ名およびパスワード入力画面が外部表示装置でも表示されてしまうことはなく、また携帯型コンピュータ上でパスワード設定されたドキュメントファイルや画像データをアプリケーションソフトで起動する際においてもアプリケーションソフト起動時のユーザ名およびパスワード入力画面も外部表示装置で表示されてしまうことを防ぐことが出来る。
【００５３】
そのため、ユーザ名およびパスワード入力を行っている最中の画面を大人数に見られてしまうことがなく、外部表示装置に携帯型コンピュータの画面と同じ画面を表示させてしまうことにより起こってしまうユーザ名およびパスワードの漏えいの危険性をなくすことが可能になる。
【００５４】
〔第２実施形態〕
第１実施形態においては、外部表示装置として携帯型液晶プロジェクタ３００もしくは大型ディスプレイを例にあげて、ユーザ名およびパスワード入力時の入力画面の外部表示装置への非表示に関する構成を説明したが、複数の携帯型コンピュータにおいて画面を共有する表示システムが構成される場合にも本発明を適用することができる。以下、その実施形態について説明する。
【００５５】
図７は、本発明の第２実施形態を示す表示システムの一例を示すブロック図であり、例えば１台を親装置として、所定のインタフェースを介して接続される複数の子装置に同一の画面を表示して、学習や研修を実演するような表示システム例である。
【００５６】
図７にいて、７００は多画面表示制御システムの全体構成を示す。２００は携帯型コンピュータであり、第１実施形態に示した図２に示すハードウエアを備えているものとする。
【００５７】
７０１，７０２，７０３，７０４，７０５はコンピュータで、携帯型コンピュータ２００と同等のハードウエアと性能を持ち、イーサネット（登録商標）や無線ＬＡＮ、赤外線、モデムなどの通信インタフェースによってデータ転送および制御を相互に行うことが可能になっている。
【００５８】
携帯型コンピュータ２００上の画面は、携帯型コンピュータ２００内のネットワークインタフェース２２２を介して別のコンピュータ７０１，７０２，７０３，７０４，７０５に転送され、別のコンピュータ７０１，７０２，７０３，７０４，７０５のディスプレイに表示される。
【００５９】
また、携帯型コンピュータ２００内の外部表示装置検出器２２０は、別のコンピュータ７０１，７０２，７０３，７０４，７０５が接続されていることを、ネットワークＩＰアドレスなどから検知する。
【００６０】
そして、図６に示した切替画面６０１によって、ボタンＢ２を選択して、予め外部表示装置での非表示設定がされているとマイクロプロセッサ２０９が判断した場合には、ユーザ名およびパスワード入力画面の表示は別のコンピュータ７０１，７０２，７０３，７０４，７０５のディスプレイで行わないよう表示切替器２２１によって自動的に非表示するよう制御される。
【００６１】
なお、無線ＬＡＮや赤外線通信、モデムによる別の携帯型コンピュータとの接続に関しても同様に本発明を適用可能である。
【００６２】
〔第３実施形態〕
第１，第２実施形態においては、携帯型コンピュータ２００について説明を行ったが、携帯型でなくても良いし、またコンピュータに限らず同様な構成を持つ、例えば、スキャナとプリンタさらには画像保存やＰＤＦデータの送信が行えるカラー複合機に関しても同様である。
【００６３】
この場合、カラー複合機を携帯型コンピュータ２００相当に見立てて、カラー複合機に接続される外部表示装置としてのモニタや液晶ディスプレイ、その他別のコンピュータなどを接続した際に、カラー複合コピー機のＵＩで入力するユーザ名およびパスワードを、カラー複合機以外の表示装置や別のコンピュータなどに表示させないよう構成することも可能である。
【００６４】
〔第４実施形態〕
第１実施形態では、図６に示した切替画面６０１は携帯型コンピュータ２００のディスプレイ２１２上に表示して直接指示を行う構成を説明したが、ネットワークインタフェース２２２、無線ＬＡＮ２２３、赤外線通信２２４、モデム２２５などを介して、外部操作手段によって切り替える構成にしても良い。
【００６５】
例えば、別の携帯電話からモデム２２５を介して、携帯電話上の表示部に切替画面６０１に相当の画面を表示させ、表示／非表示の切替えを行える構成にしても良い。
【００６６】
〔第５実施形態〕
第１実施形態では、ユーザ名およびパスワード入力に関する非表示に関して説明を行ってきたが、これに限るものではなく、携帯型コンピュータ２００上の画面の背景にレイアウトされる壁紙や、デスクトップ上に配置されているフォルダやファイルのアイコン表示およびファイル名、その他起動中のｅ−Ｍａｉｌやカレンダなどのアプリケーションファイルの表示／非表示切替えなどを切替画面６０１において設定し、表示／非表示を自動的に切り替える構成にしても良い。
【００６７】
例えば、プレゼンテーションソフトは、外部表示装置に表示しておきたいが、同時に起動中のｅ−Ｍａｉｌソフトに関しては内容を大人数に知られたくないので非表示にしておくなどの設定をしておくことで、必要な画面は表示するが、必要でない画面に関しては非表示にしておくことが可能になる。
【００６８】
〔第６実施形態〕
第１実施形態においては、ユーザ名、パスワード入力の際には外部表示装置には、携帯型コンピュータ２００で表示されている画面イメージとは異なるイメージ（代替画面）を表示する旨を説明したが、ユーザ名、パスワード入力欄の箇所だけをボカしたり、モザイクをかけたり、無表示にしたり、別の画像を重ねたりするなどしてユーザ名やパスワード入力欄が見えない構成にしても良い。
【００６９】
〔第７実施形態〕
第１実施形態においては、ユーザ名、パスワード入力の際には外部表示装置には、携帯型コンピュータ２００で表示されている画面イメージとは異なるイメージ（代替画面）をユーザ名およびパスワード入力画面を表示した後に表示する旨を説明したが、システム登録において、ユーザ名およびパスワード入力画面を表示の設定を起動に反映させるか否かをあらかじめ決定しておくことにより、図５に示すステップＳ５０４や、図４に示すステップＳ４０６を実行することなく、次のステップに進み、あらかじめ登録されているユーザ名およびパスワード入力画面の表示／非表示の制御を実行するように構成してもよい。
【００７０】
これにより、スクリーンＳＣ上では、例えば図５に示す表示制御において、ステップＳ５０２の間で、表示設定をプロセッサ２０９が確認して、ステップＳ５０５における制御を先行して実行することで、ユーザ名およびパスワード入力画面に替えて他の代替画面を表示し、スクリーンＳＣ上では、携帯型コンピュータ２００上で秘匿性のあるデータの入力が行われていることすら意識させることなく、ステップＳ５０３，Ｓ５０６，Ｓ５０７を順次実行するように制御してもよい。
【００７１】
以下、図８に示すメモリマップを参照して本発明に係る表示制御システムで読み取り可能なデータ処理プログラムの構成について説明する。
【００７２】
図８は、本発明に係る表示制御システムで読み取り可能な各種データ処理プログラムを格納する記憶媒体のメモリマップを説明する図である。
【００７３】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００７４】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００７５】
本実施形態における図４、図５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００７６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００７７】
この場合、記憶媒体から読み出されたプログラムコード自体が本発明の新規な機能を実現することになり、そのプログラムコードを記憶した記憶媒体は本発明を構成することになる。
【００７８】
従って、プログラムの機能を有していれば、オブジェクトコード、インタプリタにより実行されるプログラム、ＯＳに供給するスクリプトデータ等、プログラムの形態を問わない。
【００７９】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００８０】
この場合、記憶媒体から読出されたプログラムコード自体が前述した実施形態の機能を実現することになり、そのプログラムコードを記憶した記憶媒体は本発明を構成することになる。
【００８１】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００８２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８３】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８４】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８５】
本発明は上記実施形態に限定されるものではなく、本発明の趣旨に基づき種々の変形（各実施形態の有機的な組合せを含む）が可能であり、それらを本発明の範囲から排除するものではない。
【００８６】
本発明の様々な例と実施形態を示して説明したが、当業者であれば、本発明の趣旨と範囲は、本明細書内の特定の説明に限定されるものではない。
【００８７】
なお、本発明は、上記した実施形態に限定されるものではなく、本発明の要旨を逸脱しない範囲内において種々変更を加え得ることは勿論である。以下、その実施態様１〜１５について説明する。
【００８８】
〔実施態様１〕
表示装置を備える情報処理装置であって、外部表示装置（例えば図３に示す携帯型液晶プロジェクタ３００）を接続するインタフェース手段（例えば図２に示すＶＤＡ２１３）と、前記インタフェース手段に接続される前記外部表示装置を検出する検出手段（図２に示す外部表示装置検出器２２０）と、前記検出手段により前記外部表示装置が接続されていることを検出した場合、前記インタフェース手段を介して前記表示装置に表示される画面情報を前記外部表示装置にも出力可能な状態に切り替える切替手段（図２に示す表示切替器２２１）と、前記切替手段による切替後、非表示の指示に従って、前記表示装置に表示される画面情報と前記外部表示装置に表示すべき画面情報との表示内容を変更する制御手段（図２に示すマイクロプロセッサ２０９）とを備えることを特徴とする情報処理装置。
【００８９】
これにより、情報処理装置のデータ処理状況に応じて、外部表示装置が接続されたことを検出して、表示装置に表示された画面と同一画面を表示したり、該表示画面とは異なる画面を表示したりすることができ、外部表示装置では表示したくない情報を入力する必要がある場合に、外部表示装置では表示装置側の表示内容がそのまま反映されることないので、表示装置側で必要な所定の情報を正確に、かつ秘匿性を維持した状態で入力することができる。
【００９０】
〔実施態様２〕
前記外部表示装置に表示すべき画面情報の切り替えを指示する切替指示手段を備え（例えば図６に示すボタンＢ１，Ｂ２による指示に相当）、前記制御手段は、前記切り替え指示手段による切替指示中の間、前記表示装置に表示される画面情報と前記外部表示装置に表示すべき画面情報との表示内容を変更することを特徴とする実施態様１記載の情報処理装置。
【００９１】
これにより、外部表示装置が接続されたことを検出して、一時的に表示装置と外部表示装置とで表示する内容を異ならせることができる。
【００９２】
〔実施態様３〕
前記切替指示手段は、前記表示装置に表示される所定の情報入力催促画面の表示時に、前記外部表示装置に表示すべき画面情報の切り替えを指示することを特徴とする実施態様２記載の情報処理装置。
【００９３】
これにより、外部表示装置が接続されたことを検出して、情報処理装置上でなんらかの情報入力が催促された場合に、その入力情報が外部表示装置で表示されてしまうことを制限することができる。
【００９４】
〔実施態様４〕
前記所定の情報入力催促画面は、データ処理可能な状態に遷移させるための認証情報入力催促画面、ユーザ名入力画面、電子ファイル、電子ファイル名、アプリケーションウィンドウを含む各種入力画面、ＷＥＢブラウザＵＲＬ入力画面を含むことを特徴とする実施態様３記載の情報処理装置。
【００９５】
これにより、外部表示装置が接続されたことを検出して、情報処理装置上で種々の入力要求が催促される場合に、それぞれの催促に適応して、その入力情報が外部表示装置で表示されてしまうことを制限することができる。
【００９６】
〔実施態様５〕
前記制御手段は、前記表示装置に表示される所定の情報入力催促画面の表示時に、前記外部表示装置へ転送すべき画面情報の全体または一部を変更可能とすることを特徴とする実施態様１記載の情報処理装置。
【００９７】
これにより、入力催促に伴う入力処理情報が外部表示装置で秘匿性のある情報がそのまま表示されて第三者に漏洩してしまう事態を防止できる。
【００９８】
〔実施態様６〕
前記切替指示手段による切替指示情報を所定の情報入力催促画面と関連付けて記憶する記憶手段を備え、
前記制御手段は、前記切替手段による切替後、前記記憶手段に記憶される切替指示情報に基づいて、前記表示装置に表示される画面情報と前記外部表示装置に表示すべき画面情報との表示内容を変更することを特徴とする実施態様１記載の情報処理装置。
【００９９】
これにより、外部表示装置が接続されたことを検出して、必要に応じて切替指示がなくても、表示装置に表示された画面と同一画面を表示したり、該表示画面とは異なる画面を表示したりすることを自動化することができ、利便性と操作性がさらに向上する。
【０１００】
〔実施態様７〕
表示装置を備える情報処理装置であって、外部表示装置を接続するインタフェース手段（図２に示すＶＤＡ２１３）と、前記インタフェース手段を介して、前記表示装置に表示される画面情報に対応する画面情報を前記外部表示装置に出力する制御手段（図２に示すマイクロプロセッサ２０９）とを備え、前記制御手段は、非表示の指示に従って、前記表示装置に表示される画面情報の少なくとも一部に対応する画面情報を前記外部表示装置に出力しないように制御することを特徴とする情報処理装置。
【０１０１】
これにより、ユーザの指示に従って、外部表示装置と表示装置との画面表示内容を一致させたり、異ならしめたりする表示制御を自在に行うことができる。
【０１０２】
〔実施態様８〕
外部表示装置を接続するインタフェース手段と、表示装置とを備える情報処理装置における表示制御方法であって、前記インタフェース手段に接続される前記外部表示装置を検出する検出ステップ（図４に示すステップＳ４０３）と、前記検出ステップにより前記外部表示装置が接続されていることを検出した場合、前記インタフェース手段を介して前記表示装置に表示される画面情報を前記外部表示装置にも出力可能な状態に切り替える切替ステップ（図４に示すステップＳ４０５，Ｓ４０６）と、前記切替ステップによる切替後、非表示の指示に従って、前記表示装置に表示される画面情報と前記外部表示装置に表示すべき画面情報との表示内容を変更する制御ステップ（図４に示すステップＳ４０７）とを備えることを特徴とする表示制御方法。
【０１０３】
これにより、情報処理装置のデータ処理状況に応じて、外部表示装置が接続されたことを検出して、表示装置に表示された画面と同一画面を表示したり、該表示画面とは異なる画面を表示したりすることができ、外部表示装置では表示したくない情報を入力する必要がある場合に、外部表示装置では表示装置側の表示内容がそのまま反映されることないので、表示装置側で必要な所定の情報を正確に、かつ秘匿性を維持した状態で入力することができる。
【０１０４】
〔実施態様９〕
前記外部表示装置に表示すべき画面情報の切り替えを指示する切替指示ステップ（図４に示すステップＳ４０６）を備え、前記制御ステップは、前記切替指示ステップによる切替指示中の間、前記表示装置に表示される画面情報と前記外部表示装置に表示すべき画面情報との表示内容を変更することを特徴とする実施態様８記載の表示制御方法。
【０１０５】
これにより、外部表示装置が接続されたことを検出して、一時的に表示装置と外部表示装置とで表示する内容を異ならせることができる。
【０１０６】
〔実施態様１０〕
前記切替指示ステップは、前記表示装置に表示される所定の情報入力催促画面の表示時に、前記外部表示装置に表示すべき画面情報の切り替えを指示することを特徴とする実施態様９記載の表示制御方法。
【０１０７】
これにより、外部表示装置が接続されたことを検出して、情報処理装置上でなんらかの情報入力が催促された場合に、その入力情報が外部表示装置で表示されてしまうことを制限することができる。
【０１０８】
〔実施態様１１〕
前記所定の情報入力催促画面は、データ処理可能な状態に遷移させるための認証情報入力催促画面、ユーザ名入力画面、電子ファイル、電子ファイル名、アプリケーションウィンドウを含む各種入力画面、ＷＥＢブラウザＵＲＬ入力画面を含むことを特徴とする実施態様１０記載の表示制御方法。
【０１０９】
これにより、外部表示装置が接続されたことを検出して、情報処理装置上で種々の入力要求が催促される場合に、それぞれの催促に適応して、その入力情報が外部表示装置で表示されてしまうことを制限することができる。
【０１１０】
〔実施態様１２〕
前記制御ステップは、前記表示装置に表示される所定の情報入力催促画面の表示時に、前記外部表示装置へ転送すべき画面情報の全体または一部を変更可能とすることを特徴とする実施態様８記載の表示制御方法。
【０１１１】
これにより、入力催促に伴う入力処理情報が外部表示装置でそのまま表示されて秘匿性のある情報がそのまま表示されて第三者に漏洩してしまう事態を防止できる。
【０１１２】
〔実施態様１３〕
前記制御ステップは、前記切替ステップによる切替後、記憶される切替指示情報に基づいて、前記表示装置に表示される画面情報と前記外部表示装置に表示すべき画面情報との表示内容を変更することを特徴とする実施態様９記載の表示制御方法。
【０１１３】
これにより、外部表示装置が接続されたことを検出して、必要に応じて切替指示がなくても、表示装置に表示された画面と同一画面を表示したり、該表示画面とは異なる画面を表示したりすることを自動化することができ、利便性と操作性がさらに向上する。
【０１１４】
〔実施態様１４〕
実施態様８〜１３のいずれかに記載の表示制御方法を実行させるためのプログラムを格納したことを特徴とするコンピュータが読み取り可能な記憶媒体。
【０１１５】
これにより、実施態様８〜１３と同等の効果が期待できる。
【０１１６】
〔実施態様１５〕
実施態様８〜１３のいずれかに記載の表示制御方法を実行させることを特徴とするプログラム。
【０１１７】
これにより、実施態様８〜１３と同等の効果が期待できる。
【０１１８】
上記各実施形態および実施態様によれば、液晶プロジェクタや大型ディスプレイ、別のコンピュータなどの外部表示装置と接続している携帯型コンピュータやカラー複合コピー機などにおいて、携帯型コンピュータ上やカラー複合コピー機の操作部上などで表示される画面と同じものが外部表示装置でも表示されてしまう場合でも、予め非表示設定を行っておくことで携帯型コンピュータ上やカラー複合コピー機上での特定の画面を外部表示装置で表示されてしまうことを防ぐことが出来る。そのためユーザ名およびパスワード入力を行っている最中の画面や特定の画面を大人数に見られてしまうことがなく、外部表示装置に携帯型コンピュータやカラー複合コピー機の画面と同じ画面を表示させてしまうことにより起こってしまう各種情報の漏えいの危険性をなくすことが可能になる。
【図面の簡単な説明】
【０１１９】
【図１】本発明の第１実施形態を示す表示制御システムの構成を説明する図である。
【図２】図１に示した携帯型コンピュータの構成を説明するブロック図である。
【図３】本発明に係る表示制御システムにおける携帯型コンピュータのディスプレイと携帯型液晶プロジェクタでの投影状態を説明する図である。
【図４】本発明に係る情報処理装置における第１のデータ処理手順の一例を示すフローチャートである。
【図５】本発明に係る情報処理装置における第２のデータ処理手順の一例を示すフローチャートである。
【図６】図２に示したディスプレイに表示される表示内容制限設定画面の一例を示す図である。
【図７】本発明の第２実施形態を示す表示システムの一例を示すブロック図である。
【図８】本発明に係る表示制御システムで読み取り可能な各種データ処理プログラムを格納する記憶媒体のメモリマップを説明する図である。
【符号の説明】
【０１２０】
２００    携帯型コンピュータ
２０９    マイクロプロセッサ
２１２    ディスプレイ
２２０    外部表示装置検出器
２２１    表示切替器
３００    携帯型液晶プロジェクタ
【図１】
2005345543.tif 000003
【図２】
2005345543.tif 000004
【図３】
2005345543.tif 000005
【図４】
2005345543.tif 000006
【図５】
2005345543.tif 000007
【図６】
2005345543.tif 000008
【図７】
2005345543.tif 000009
【図８】
2005345543.tif 000010